(57)【要約】    【課題】  送信結果を簡単、かつ確実に確認できるようにする。    【解決手段】  一連の送信原稿の少なくとも１枚はＲＦＩＤタグ１３を付加した用紙を使用し、当該一連の送信原稿の画像データをスキャナ部１で読み取る際にＲＦＩＤリーダライタ部１１により上記ＲＦＩＤタグ１３に送信ジョブＩＤを記録しておき、当該送信ジョブＩＤに係る原稿画像データの送信結果をファクシミリ部４で管理し、その後、ＲＦＩＤタグ１３が付加された送信原稿がＲＦＩＤリーダライタ部１１にかざされた場合には、当該送信ジョブに係る送信結果を自動的に照合してユーザに報知する。【選択図】      図１
2005151357.tif 000002
【特許請求の範囲】
【請求項１】
原稿に付加された非接触ＩＣに送信ジョブＩＤを記録する記録手段と、
前記送信ジョブＩＤ別に当該送信ジョブに対応する原稿画像データの送信結果情報を管理する管理手段と、
前記管理手段で管理されている前記送信結果情報を前記非接触ＩＣに記録された送信ジョブＩＤに基づいて検索して報知する報知手段と、
を有することを特徴とする通信装置。
【請求項２】
前記通信装置は、前記原稿画像データを一旦所定の記憶媒体に蓄積した後に外部装置にファクシミリ送信する送信制御手段を有することを特徴とする請求項１に記載の通信装置。
【請求項３】
前記非接触ＩＣは、前記送信ジョブＩＤに対応する複数の原稿のうち、一部の原稿に付加されていることを特徴とする請求項１又は２に記載の通信装置。
【請求項４】
前記管理手段は、前記送信結果情報として、未送信、送信完了、送信エラー等の送信処理状況、送信元及び送信先情報を管理することを特徴とする請求項１〜３の何れかに記載の通信装置。
【請求項５】
原稿に付加された非接触ＩＣから所定の識別データを読み取る読取手段と、
前記読取手段により読み取られた識別データ別に、当該識別データに係る原稿又は当該原稿を含む一連の原稿の原稿画像データの送信結果情報を管理する管理手段と、
前記管理手段で管理されている前記送信結果情報を前記非接触ＩＣに記録されている前記識別データに基づいて検索して報知する報知手段と、
を有することを特徴とする通信装置。
【請求項６】
前記通信装置は、前記原稿画像データを一旦所定の記憶媒体に蓄積した後に外部装置にファクシミリ送信する送信制御手段を有することを特徴とする請求項５に記載の通信装置。
【請求項７】
前記非接触ＩＣは、１つの送信ジョブに対応する複数の原稿のうち、一部の原稿に付加されていることを特徴とする請求項５又は６に記載の通信装置。
【請求項８】
前記管理手段は、前記送信結果情報として、未送信、送信完了、送信エラー等の送信処理状況、送信元及び送信先情報を管理することを特徴とする請求項５〜７の何れかに記載の通信装置。
【請求項９】
原稿に付加された非接触ＩＣに送信ジョブＩＤを記録する記録工程と、
前記送信ジョブＩＤ別に当該送信ジョブに対応する原稿画像データの送信結果情報を管理する管理工程と、
前記管理工程で管理されている前記送信結果情報を前記非接触ＩＣに記録された送信ジョブＩＤに基づいて検索して報知する報知工程と、
を有することを特徴とする通信装置の制御方法。
【請求項１０】
原稿に付加された非接触ＩＣから所定の識別データを読み取る読取工程と、
前記読取工程により読み取られた識別データ別に、当該識別データに係る原稿又は当該原稿を含む一連の原稿の原稿画像データの送信結果情報を管理する管理工程と、
前記管理工程で管理されている前記送信結果情報を前記非接触ＩＣに記録されている前記識別データに基づいて検索して報知する報知工程と、
を有することを特徴とする通信装置の制御方法。
【請求項１１】
原稿に付加された非接触ＩＣに送信ジョブＩＤを記録し、前記送信ジョブＩＤ別に当該送信ジョブに対応する原稿画像データの送信結果情報を管理し、管理されている前記送信結果情報を前記非接触ＩＣに記録された送信ジョブＩＤに基づいて検索して報知する内容を有することを特徴とするプログラム。
【請求項１２】
原稿に付加された非接触ＩＣから所定の識別データを読み取り、前記読み取られた識別データ別に、当該識別データに係る原稿又は当該原稿を含む一連の原稿の原稿画像データの送信結果情報を管理し、管理されている前記送信結果情報を前記非接触ＩＣに記録されている前記識別データに基づいて検索して報知する内容を有することを特徴とするプログラム。
【発明の詳細な説明】
【技術分野】
【０００１】
本発明は、通信装置、その制御方法、及びプログラムに関し、特に、原稿画像データの送信結果を確認する技術に関する。
【背景技術】
【０００２】
従来、ファクシミリ装置等において、一連の原稿画像データを一旦メモリに読み込んだ後に送信する所謂、メモリ送信機能が実現されている。このメモリ送信においては、通常のダイレクト送信の場合と異なり、一連の原稿画像の読み取り動作と送信動作との間にある程度大きな時間差があるため、一連の原稿画像の読み取り動作が終了すると、ユーザは、ファクシミリ装置の設置場所から一旦離れ、その送信結果は後で確認するのが一般的である。
【０００３】
この送信結果の確認は、送信原稿をメモリに蓄えた際に発行された受付番号等を操作部から入力するか（例えば、特許文献１参照）、或いは送信結果レポートを印刷し、その送信結果レポートの中から該当する受付番号等を見つけ出すことにより行っていた。
【特許文献１】特開２００２−２８１１９２号公報
【発明の開示】
【発明が解決しようとする課題】
【０００４】
しかしながら、受付番号等を操作部から入力したり、送信結果レポートを印刷して該当する受付番号等の送信結果を確認したりするには手間が掛かり、さらに、受付番号等を忘れてしまうと送信結果を確認することが困難であった。
【０００５】
そこで、本発明は、送信結果を簡単、かつ確実に確認できる通信装置、その制御方法、及びプログラムを提供することを目的とする。
【課題を解決するための手段】
【０００６】
上記目的を達成するため、本発明に係る通信装置は、原稿に付加された非接触ＩＣに送信ジョブＩＤを記録する記録手段と、前記送信ジョブＩＤ別に当該送信ジョブに対応する原稿画像データの送信結果情報を管理する管理手段と、前記管理手段で管理されている前記送信結果情報を前記非接触ＩＣに記録された送信ジョブＩＤに基づいて検索して報知する報知手段とを有している。
【発明の効果】
【０００７】
本発明によれば、送信結果を簡単、かつ確実に確認できる通信装置、その制御方法、及びプログラムを提供することが可能となる。
【発明を実施するための最良の形態】
【０００８】
以下、本発明を実施するための最良の形態を、図面に基づいて説明する。
【０００９】
図１は、本発明を適用したＭＦＰ（多機能プリンタ：複合機）のハードウェアの概略構成を示すブロック図である。
【００１０】
図１において、スキャナ部１は、原稿画像を露光走査して光電変換し、その電子的な画像データを画像入出力制御部３へ出力する。プリンタ部２は、画像入出力制御部３からの画像データに応じた画像を記録紙上に記録する。画像入出力制御部３は、スキャナ部１およびプリンタ部２に接続されており、ファクシミリ部４、ストレージ部５、コンピュータインターフェイス部７、ＲＩＰ（Ｒａｓｔｅｒ  Ｉｍａｇｅ  Ｐｒｏｃｅｓｓｏｒ）部８、操作部９、コア部１０、及びＲＦＩＤリーダライタ部１１を有している。
【００１１】
ファクシミリ部４は、電話回線を介してドットイメージの画像データを送受信すると共に、受信した画像データをコア部１０へ転送する。このファクシミリ部４により送受信する画像データは、ストレージ部５に接続されたハードディスク６に一時的に保存することができる。
【００１２】
ストレージ部５にはハードディスク６が接続されており、ストレージ部５は、コア部１０から転送された画像データを圧縮し、その画像データを検索するためのＩＤ番号と共にハードディスク６に格納する。また、ストレージ部５は、コア部１０を介して転送されたＩＤ番号に基づいてハードディスク６に格納されている圧縮に係る画像データを検索し、検索された圧縮画像データを読み出して伸張し、伸張された画像データをコア部１０に転送する。この場合、コア部１０は、ストレージ部５から転送されてきた画像データをファクシミリ部４、コンピュータインターフェイス部７等に転送する。
【００１３】
コンピュータインターフェイス部７は、パーソナルコンピュータ又はワークステーション（ＰＣ／ＷＳ）１２とコア部１０の間のインターフェイスであり、ＰＣ／ＷＳ１２と１対１のローカルインターフェイスで構成しても、或いはネットワークインターフェイスで構成してもよい。ＲＩＰ部８は、ＰＣ／ＷＳ１２から転送された画像を表すコードデータ（ページ記述言語に係るデータ）を、プリンタ部２で記録可能なラスタイメージデータに変換するものである。
【００１４】
操作部９は、タッチパネルディスプレイとハードキー（図示省略）を備え、画像入出力装置３への動作指示や動作設定、表示処理等を行うものである。この操作部９には、ＲＦＩＤリーダライタ部１１が設けられている。ＲＦＩＤリーダライタ部１１は、後述するＲＦＩＤタグ１３（図５参照）に対して  無線通信によりデータを読み書きするためのものである。なお、ＲＦＩＤタグ１３は、バッテリ等の電源を内蔵しておらず、ＲＦＩＤリーダライタ部１１から発せられた電波に基づいて電力を誘電している。
【００１５】
コア部１０は、スキャナ部１、プリンタ部２、ファクシミリ部４、ストレージ部５、コンピュータインターフェイス部７、ＲＩＰ部８、操作部９、ＲＦＩＤリーダライタ部１１のそれぞれの間のデータの流れ等を制御するものである。コア部１０については後で詳細に説明する。
【００１６】
図２は、スキャナ部１及びプリンタ部２の断面図である。スキャナ部１の原稿給送装置１０１は、所謂流し読みに対応する原稿給送動作を行うことができ、この流し読み時には、原稿を先頭ページから順に１枚ずつプラテンガラス１０２の原稿読取位置に給送して原稿画像を読取らせ、原稿画像が読み取られた原稿を排紙部１１０に順次排出する。
【００１７】
流し読み時には、ランプ１０３を収納したスキャナユニット１０４は、図２の左端の近傍の原稿読取位置に固定されている。そして、この原稿読取位置で給送状態の原稿に対してランプ１０３からの光を照射することにより、原稿画像を露光走査する。なお、本発明は、流し読み機能を持たない装置にも適用することができる。
【００１８】
露光走査時の原稿からの反射光は、ミラー１０５、１０６、１０７、及びレンズ１０８を介してＣＣＤイメージセンサ（以下ＣＣＤという）１０９へ導かれ、このＣＣＤ１０９により光電変換されて、電子的な画像データとして出力される。ＣＣＤ１０９から出力される画像データは、Ａ／Ｄ変換処理、シェーディング補正処理等の処理が施された後、画像入出力制御部３のコア部１０へ転送される。
【００１９】
プリンタ部２のレーザドライバ２２１は、画像入出力制御部３のコア部１０から出力された画像データに応じたレーザ光を発光させるように、レーザ発光部２０１を駆動制御する。レーザ発光部２０１から発光されたレーザ光は、感光ドラム２０２に照射され、感光ドラム２０２にはレーザ光に応じた静電潜像が形成される。この感光ドラム２０２に形成された静電潜像は、現像器２０３から供給された現像剤により現像剤像として可視像化される。
【００２０】
一方、記録紙は、レーザ光の照射開始と同期したタイミングで、カセット２０４及びカセット２０５のいずれか一方から給紙され、転写部２０６へ搬送される。そして、転写部２０６により、感光ドラム２０２上の現像剤像が記録紙に転写される。現像剤像が転写された記録紙は、定着部２０７に搬送され、この定着部２０７の熱と圧力により現像剤像が記像紙に定着される。定着部２０７を通過した記録紙は、片面記録時には排出ローラ２０８によってソータ２２０に排出される。ソータ２２０は、記録紙の仕分けが設定されている場合は、排出された記録紙を複数のビンに仕分けして収納し、記録紙の仕分けが設定されていない場合は、排出された記録紙を最上段のビンに収納する。
【００２１】
また、両面記録時には、記録紙は、排出ローラ２０８の位置まで搬送された後、排出ローラ２０８の逆回転、及びフラッパ２０９の姿勢切換えによって再給紙搬送路２１０へ導かれ、上述したタイミングで転写部２０６へ再給紙される。
【００２２】
図３は、コア部１０のブロック図である。なお、図３では、図１に示したハードディスク６は、図示省略しているが、実際には、図１と同様にストレージ部５には、ハードディスク６が接続されている。
【００２３】
スキャナ部１からの画像データは、インターフェイス１２２を介して、データ処理部１２１へ転送される。データ処理部１２１は、画像の回転処理や変倍処理などの画像処理を行うものであり、複数ページ分の画像データを記憶可能なページメモリ１２１ａを有している。スキャナ部１からデータ処理部１２１へ転送された画像データは、ページメモリ１２１ａに一時的に記憶された後、インターフェイス１２０を介してストレージ部５へ転送され、このストレージ部５により圧縮されてハードディスク６に格納される。
【００２４】
また、コンピュータインターフェイス部７を介して入力された画像を表すコードデータ（ページ記述言語に係るデータ）は、インターフェイス１２０を介してデータ処理部１２１に転送された後、ＲＩＰ部８へ転送されてラスタイメージデータに変換され、このラスタイメージデータは、データ処理部１２１に転送された後、ページメモリ１２１ａに一時的に記憶された後、ストレージ部５へ転送され、このストレージ部５により圧縮されてハードディスク６に格納される。
【００２５】
また、ハードディスク６に格納された圧縮に係る画像データは、ストレージ部５により読み出されて伸張され、データ処理部１２１内のページメモリ１２１ａに一時的に記憶された後、プリンタ部２やファクシミリ部４、コンピュータインターフェイス部７へ転送される。
【００２６】
なお、上記のように、データ処理部１２１へ各種画像データを入力し、ページメモリ１２１ａに一時的に記憶した後、ストレージ部５へ画像データを転送する前に、プリンタ部２やファクシミリ部４、コンピュータインターフェイス部７へ転送することも可能である。
【００２７】
ＣＰＵ１２３はメモリ１２４に記憶されている制御プログラム、操作部９から入力された制御コマンド、画像データと共に転送された制御コマンド等に従って上記のような制御を行う。また、メモリ１２４はＣＰＵ１２３の作業領域としても使われる。なお、メモリ１２４には、図７、８に示したフローチャートに対応するアプリケーションプログラムも格納されている。
【００２８】
このように、本ＭＦＰでは、コア部１０を中心にして、データ処理部１２１、ストレージ部５を介して、原稿画像の読み取り、画像データのプリント・送受信・保存、コンピュータからのデータの入出力などの機能を複合させた処理を行っている。
【００２９】
以上の例では、画像入出力をストレージ部５のハードディスク６を介して処理する場合に関して説明したが、ハードディスク６を使用することなく、例えばデータ処理部１２１のページメモリ１２１ａの一部を使用して画像入出力動作を行うように構成してもよい。
また、ソータ２２０以外のフィニッシャ装置を用いることも可能である。
【００３０】
図４は、ＲＦＩＤリーダライタ部１１の構成を示すブロック図である。ＲＦＩＤリーダライタ部１１は、電波信号を送信するための送信アンテナ部４０１と、送信アンテナ部４０１から送信するデータ信号を変調する変調回路４０２と、電波信号を受信する受信アンテナ部４０３、受信アンテナ部４０３より受信した電波信号を復調する復調回路４０４、ＲＦＩＤタグ１３以外の機器（本実施形態では、コア部１０）との通信を行うＩ／Ｆ部４０６、及び制御部４０５を有しており、制御部４０５は、上記送信アンテナ部４０１、変調回路４０２、受信アンテナ部４０３、復調回路４０４、及びＩ／Ｆ部４０６を制御している。なお、送信アンテナ部４０１には、前述の電力生成用の電波を常時発信するための交流電源４０７が接続されている。
【００３１】
制御部４０５は、コア部１０からの指示により、変調回路４０２を用いて電力を供給するための電波、及び送信するデータを変調して、送信アンテナ部４０１を介して電波を発信させる。また、制御部４０５は、受信アンテナ部４０３で受信した電波信号を、復調回路４０４により復調させた後、データ信号として扱えるように変換することができる。
【００３２】
図５は、ＲＦＩＤタグ１３の構成を示すブロック図である。ＲＦＩＤタグ１３は、非接触ＩＣチップ、或いはデータキャリアとも呼ばれ、ＲＦＩＤリーダライタ部１１と無線で（すなわち非接触で）交信することが可能となっている。
【００３３】
本実施形態では、極小サイズのミューチップ型のＲＦＩＤタグ１３を想定しており、このＲＦＩＤタグ１３を、図６に示したように、一連のＦＡＸ送信原稿中の例えば送付状に漉き込んで（埋め込んで）使用している。ただし、ラベル型のＲＦＩＤタグ１３を原稿に貼り付けて使用することも可能である。このような形態で原稿に対してＲＦＩＤタグ１３を付加する場合の付加位置は、原稿の４隅、周辺部等の余白となるべき位置であることが望ましい。また、ＲＦＩＤタグ１３を付加した原稿（用紙）は通常の用紙に比べて高価なので、経費削減のためにＲＦＩＤタグ１３が付加された用紙は、一連の送信原稿において１枚だけ使用することが望ましい。この場合、後述する送信結果確認作業を迅速に行うため、ＲＦＩＤタグ１３が付加された用紙は、先頭ページ、又は最終ページで使用することが望ましい。
【００３４】
図５に示したように、ＲＦＩＤタグ（非接触ＩＣ）１３には、不揮発性メモリ５０１、電波を送受信するためのアンテナ部５０２、共振コンデンサ部５０３、電流の整流・平滑を行うための電力形成部５０４、電波の復調・変調を行うための復変調回路５０５、及び制御部５０６が形成されている。このＲＦＩＤタグ１３は、バッテリ等の電源を内蔵しておらず、ＲＦＩＤリーダライタ部１１から供給される電波に基づいて電力を誘電している。
【００３５】
すなわち、アンテナ部５０２は、共振コンデンサ部５０３との組み合わせで共振回路を形成している。一方、ＲＦＩＤリーダライタ部１１は、常時、電力生成用の電波（交流磁界）を発している。このＲＦＩＤリーダライタ部１１にＲＦＩＤタグ１３をかざすと、ＲＦＩＤタグ１３内の上記共振回路には電磁誘導作用により誘導電流が発生する。この誘導電流は、電力形成部５０４に出力され、電力形成部５０４は、入力された誘導電流を整流・平滑して所定電圧の電力を生成し、不揮発性メモリ５０１、制御部５０６、復変調回路５０５に供給する。
【００３６】
ＲＦＩＤリーダライタ部１１は、電力生成用の電波信号の他に各種のデータに係る電波信号も同時に送信しており、このデータに係る電波信号は、復変調回路５０５によって復調され、制御部５０６の制御の下に不揮発性メモリ５０１に書き込まれる。また、制御部５０６は、不揮発性メモリ５０１からデータを読み出し、復変調回路５０５によって変調してアンテナ部５０２を介して電波信号として発信する。
【００３７】
次に、原稿画像のメモリ送信処理を図７のフローチャートに基づいて説明する。
【００３８】
ユーザは、一連の送信原稿の内の少なくとも１枚はＲＦＩＤタグ１３が付加された用紙を使って送信原稿を作成する（ステップＳ７０１）。この場合、送信原稿は１枚であってもよい。次に、ユーザは、ＲＦＩＤタグ１３が付加された原稿を含む一連の送信原稿をスキャナ部１の原稿給送装置１０１にセットし、操作部９を操作して送信先の情報、送信モードを設定し（ステップＳ７０２）、操作部９上のスタートボタン（図示省略）を押下する（ステップＳ７０３）。
【００３９】
スタートボタンが押下されると、ＣＰＵ１２３は、スキャナ部１により原稿画像を読み取らせ、読取りに係る原稿画像データをインターフェイス１２２を介してデータ処理部１２１へ転送させる（ステップＳ７０４）。
【００４０】
次に、ＣＰＵ１２３は、データ処理部１２１により、送信モードに合わせて、原稿画像データの回転処理や変倍処理などの画像処理を実行させ、ページメモリ１２１ａに一時的に格納させる（ステップＳ７０５）。次に、ＣＰＵ１２３は、データ処理部１２１に対して、ページメモリ１２１ａに一時的に格納した原稿画像データを、インターフェイス１２０を介してストレージ部５へ転送するように指示する。この場合、ストレージ部５は、ＣＰＵ１２３の指示に基づいて、転送に係る原稿画像データを圧縮してハードディスク６に格納する（ステップＳ７０６）。
【００４１】
次に、ＣＰＵ１２３は、ハードディスク６に格納した圧縮に係る原稿画像データをインターフェイス１２０を介してファクシミリ部４に転送するように、ストレージ部５に指示すると共に、一連の送信原稿、すなわち送信ジョブを識別するための識別情報（送信ジョブＩＤ）として、送信ジョブの受付番号、送信先及び送信元情報［電話（ＦＡＸ）番号］、受付日時又は送信日時を、送信原稿に付加されたＲＦＩＤタグ１３に記録するように、ＲＦＩＤリーダライタ部１１に指示する（ステップＳ７０７）。
【００４２】
なお、送信ジョブを識別するための識別情報としては、上記のように、送信ジョブの受付番号、送信先及び送信元情報［電話（ＦＡＸ）番号］、受付日時又は送信日時の全てをＲＦＩＤタグ１３に記録することなく、少なくとも、送信ジョブの受付番号を記録すればよい。また、ＲＦＩＤタグ１３に送信ジョブの受付番号を記録することなく、例えば、１ページ目の送信原稿の先頭部分の画像データ、一連の送信原稿で頻出する画像データ等を記録することも可能である。要するに、ＲＦＩＤタグ１３には、一連の送信原稿、すなわち１つの送信ジョブに係る原稿を他の送信ジョブに係る原稿と区別できる何らかの識別情報を送信ジョブＩＤとして最低限記録しておけばよい。
【００４３】
また、ファクシミリ部４への原稿画像データの転送が開始された時点では、一連の送信原稿は、原稿給送装置１０１の排紙部１１０に排紙されたままの状態となっており、ユーザは未だ一連の送信原を排紙部１１０から持ち去っていないものと仮定して、上記のようにファクシミリ部４への原稿画像データの転送が開始された時点で、送信ジョブＩＤを送信原稿に付加されたＲＦＩＤタグ１３に記録するようにしている。しかし、システムの処理速度等の関係でこの転送開始時点で一連の送信原稿が排紙部１１０から持ち去られる可能性がある場合等には、例えば、上記スタートキーが押下された時点、一連の送信原稿に対する読み取り処理が終了した時点等の他の時点で、送信ジョブＩＤを送信原稿に付加されたＲＦＩＤタグ１３に記録するようにしてもよい。
【００４４】
なお、ＣＰＵ１２３は、送信ジョブの受付番号（送信ジョブＩＤ）は自動的に生成してＲＦＩＤリーダライタ部１１に供給する。また、ＣＰＵ１２３は、電話（ＦＡＸ）番号としては、ステップＳ７０２で入力されたものをＲＦＩＤリーダライタ部１１に供給し、受付日時又は送信日時は、時計回路（図示省略）から取得してＲＦＩＤリーダライタ部１１に供給する。さらに、例えば電話帳機能等により予め電話（ＦＡＸ）番号と対応して送信者名、送信先名が登録されているような場合は、ステップＳ７０７では、これら送信者名、送信先名をも原稿上のＲＦＩＤタグ１３に記録してもよい。
【００４５】
ファクシミリ部４は、ＣＰＵ１２３の指示に基づいて、送信先との回線接続処理を行い、回線接続が確立できると、ストレージ部５から転送されてきた圧縮に係る原稿画像データをファクシミリ信号に符号化して送信する（ステップＳ７０８）。この場合、ファクシミリ部４は、送信ジョブＩＤ別に、送信待ち、送信中、送信完了、送信失敗などの最新の送信ステイタス情報を、内蔵のメモリ（図示省略）に保持している。換言すれば、ファクシミリ部４は、メモリ送信の進行状況に応じて、適宜、送信ステイタス情報を更新して管理している。
【００４６】
なお、ステップＳ７０７，Ｓ７０８における転送処理、送信処理は、ステップＳ７０２で送信日時が設定された場合は、ＣＰＵ１２３の制御の下に、その設定に係る送信日時が到来した時点で実行される。
【００４７】
次に、送信結果確認処理を図８のフローチャートに基づいて説明する。ＣＰＵ１２３は、ＲＦＩＤタグ１３が付加された送信原稿が操作部９に設けられたＲＦＩＤリーダライタ部１１にかざされて、操作部９上の送信結果照合キー（図示省略）が押下されると（ステップＳ８０１）、ＲＦＩＤリーダライタ部１１に対して、送信原稿に付加されているＲＦＩＤタグ１３に記録されている情報を読み出すように指示する（ステップＳ８０２）。
【００４８】
次に、ＣＰＵ１２３は、ＲＦＩＤリーダライタ部１１により、送信原稿に付加されているＲＦＩＤタグ１３から、少なくとも、ファクシミリ部４で保持されているものと同一の送信ジョブＩＤが読み出されたか否かを判別し（ステップＳ８０３）、保持されているものと同一の送信ジョブＩＤが読み出されなかった場合は、送信結果照合に失敗した旨のエラーメッセージ、例えば「送信ジョブが見つかりません」というメッセージを操作部９のタッチパネルディスプレイに表示する（ステップＳ８０５）。
【００４９】
一方、送信原稿に付加されているＲＦＩＤタグ１３から、少なくとも、ファクシミリ部４で保持されているものと同一の送信ジョブＩＤが読み出された場合は、ＣＰＵ１２３は、その送信ジョブＩＤに対応する送信ステイタス情報をファクシミリ部４から読み出して、操作部９のタッチパネルディスプレイに表示させると共に、ＲＦＩＤリーダライタ部１１により、上記かざされた送信原稿に付加されているＲＦＩＤタグ１３に当該送信ステイタス情報（送信状況、送信結果）を書き込ませる（ステップＳ８０４）。
【００５０】
なお、ステップＳ８０４，Ｓ８０５では、表示処理により送信結果をユーザに報知することなく、プリントアウト処理、或いは音声又は音の出力処理により、送信結果をユーザに報知することも可能である。また、ステップＳ８０４では、ユーザが所望の送信先に送信されたか否かを確認できるように、送信ステイタス情報だけでなく、送信先のＦＡＸ番号等も報知させるようにしてもよい。
【００５１】
以上説明したように、本実施形態では、一連の送信原稿の少なくとも１枚はＲＦＩＤタグ１３を付加した用紙を使用し、当該一連の送信原稿の画像データをスキャナ部１で読み取る際にＲＦＩＤリーダライタ部１１により上記ＲＦＩＤタグ１３に送信ジョブＩＤを記録しておき、当該送信ジョブＩＤに係る原稿画像データの送信結果をファクシミリ部４で管理し、その後、ＲＦＩＤタグ１３が付加された送信原稿がＲＦＩＤリーダライタ部１１にかざされた場合には、当該送信ジョブに係る送信結果を自動的に照合してユーザに報知している。
【００５２】
従って、従来のように、送信結果を確認するために送信ジョブの受付番号等を操作部から入力したり、送信結果レポートを印刷して該当する送信ジョブの受付番号等の送信結果を確認したりする必要はなく、簡単に送信結果を確認することが可能となる。また、受付番号等を記憶しておく必要がないので、確実に送信結果を確認することが可能となる。さらに、本実施形態では、送信ジョブＩＤだけでなく、送信先及び送信元情報［電話（ＦＡＸ）番号、送信者名、送信先名］、受付日時又は送信日時をも送信原稿上のＲＦＩＤタグに記録しているので、送信済み原稿をパーソナルコンピュータ等で管理する場合に、これら情報を入力する手間を省くことができ、送信済み原稿の管理作業が楽になると共に、所望の送信先に正しく送信されたか否かを簡単、かつ迅速に確認することも可能となる。
【００５３】
なお、本発明は、上記の実施形態に限定されることなく、例えば、社外秘、部外秘等の機密情報に係る一連の原稿の場合は、それら一連の送信原稿の全てにＲＦＩＤタグ付きの用紙を使用し、原稿読み取り時に各送信原稿上のＲＦＩＤタグにそれぞれ当該原稿の識別情報を記録すると共に、送信原稿別に送信結果を管理して報知することも可能である。
【００５４】
また、予め原稿識別データ等の所定の識別データが記録されたＲＦＩＤタグを送信原稿に付加しておくことも可能である。この場合は、ＲＦＩＤリーダライタにより原稿上のＲＦＩＤタグから識別データを読み取り、この識別データ別に、当該識別データに係る原稿又は当該原稿を含む一連の原稿の原稿画像データの送信結果情報（送信先情報を含む）を管理し、その管理されている送信結果情報をＲＦＩＤタグに記録されている識別データに基づいて検索して報知すればよい。
【００５５】
また、本発明は、メモリ送信機能を搭載していないＭＦＰ、或いはファクシミリ装置に適用してもよい。この場合は、送信原稿を装置にセットし、ＦＡＸ番号を入力してスタートボタンを押下した後、直ちに当該装置から離れ、その後、所望の送信先に送信されたか否かを確認する場合に受付番号等を入力する必要がなく、その確認作業を簡単、かつ迅速に行うことが可能となる。
【００５６】
また、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５７】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５８】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図７、図８に示す）フローチャートに対応するプログラムコードが格納されることになる。
【図面の簡単な説明】
【００５９】
【図１】本発明を適用したＭＦＰのハードウェアの概略構成を示すブロック図である。
【図２】上記ＭＦＰのスキャナ部及プリンタ部の機械的な構成を示す断面図である。
【図３】上記ＭＦＰのコア部の構成を示すブロック図である。
【図４】ＲＦＩＤリーダライタ部の構成を示すブロック図である。
【図５】ＲＦＩＤタグ（非接触ＩＣ）の構成を示すブロック図である。
【図６】送信原稿に対するＲＦＩＤタグの付加状態を説明するための図である。
【図７】原稿画像のメモリ送信処理を示すフローチャートである。
【図８】送信結果確認処理を示すフローチャートである。
【符号の説明】
【００６０】
１…スキャナ部
２…プリンタ部
３…画像入出力制御部
４…ファクシミリ部
５…ストレージ部
６…ハードディスク
８…ＲＩＰ部
９…操作部
１０…コア部
１１…ＲＦＩＤリーダライタ部
１３…ＲＦＩＤタグ
１２１ａ…ページメモリ
１２３…ＣＰＵ
１２４…メモリ
【図１】
2005151357.tif 000003
【図２】
2005151357.tif 000004
【図３】
2005151357.tif 000005
【図４】
2005151357.tif 000006
【図５】
2005151357.tif 000007
【図６】
2005151357.tif 000008
【図７】
2005151357.tif 000009
【図８】
2005151357.tif 000010
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
原稿上の画像を画像データとして読み取る画像読み取り手段と、
前記画像読み取り手段が読み取った画像データを送信する送信手段と、
前記原稿に付加されたメモリに、前記送信手段が送信すべき画像データを識別するための識別情報を書き込む書込手段と、
前記識別情報を前記画像データの送信処理に関する情報とともに保持する保持手段と、
前記メモリに書き込まれた識別情報を読み取る情報読み取り手段と、
前記情報読み取り手段が読み取った識別情報が、前記保持手段に保持された識別情報と一致した場合、前記識別情報とともに記憶された前記送信処理に関する情報を報知するよう制御する制御手段と、
を有することを特徴とする通信装置。
【請求項２】
前記画像読み取り手段が読み取った画像データをファクシミリデータに変換する変換手段と、
前記送信手段は前記ファクシミリデータをファクシミリ装置へ送信することを特徴とする請求項１に記載の通信装置。
【請求項３】
前記画像読み取り手段が読み取った画像データを蓄積する画像蓄積手段を有し、
前記送信手段は、前記識別情報の１つに対応する複数ページの原稿に係る所定量の画像データを前記画像蓄積手段に蓄積させた後に、前記画像データに対応するファクシミリデータを送信することを特徴とする請求項２に記載の通信装置。
【請求項４】
前記書込手段は、前記識別情報の１つに対応する複数ページの原稿の少なくともいずれか１枚の原稿に付加されたメモリに、当該識別情報を書き込むことを特徴とする請求項１乃至３のいずれか１項に記載の通信装置。
【請求項５】
前記保持手段は、前記送信処理に関する情報として、前記画像データを送信していないことを示す情報、前記画像データの送信を完了したことを示す情報、前記画像データの送信に障害が発生したことを示す情報、前記通信装置を識別するための情報及び前記送信手段の送信先に関する情報の少なくともいずれか１つを保持することを特徴とする請求項１乃至４のいずれか１項に記載の通信装置。
【請求項６】
前記書込手段は、前記画像読み取り手段が前記原稿上の画像を読み取っている際に、前記識別情報を書き込むことを特徴とする請求項１乃至５のいずれか１項に記載の通信装置。
【請求項７】
前記書込手段は、前記画像読み取り手段が前記原稿上の画像を読み取った後に、前記識別情報を書き込むことを特徴とする請求項１乃至５のいずれか１項に記載の通信装置。
【請求項８】
前記制御手段は、前記情報読み取り手段が読み取った識別情報が、前記保持手段に保持された識別情報と一致しない場合、前記情報読み取り手段が読み取った識別情報に対応する前記送信処理に関する情報が前記保持手段に保持されていない旨を報知するよう制御することを特徴とする請求項１乃至７のいずれか１項に記載の通信装置。
【請求項９】
前記書込手段は、前記情報読み取り手段が読み取った識別情報が、前記保持手段に保持された識別情報と一致した場合、前記識別情報とともに記憶された前記送信処理に関する情報を前記メモリに書き込むことを特徴とする請求項１乃至８のいずれか１項に記載の通信装置。
【請求項１０】
前記制御手段は、前記情報読み取り手段が読み取った識別情報が、前記保持手段に保持された識別情報と一致した場合、前記識別情報とともに記憶された前記送信処理に関する情報を表示ユニットに表示させるよう制御することを特徴とする請求項１乃至９のいずれか１項に記載の通信装置。
【請求項１１】
記録紙上に画像を形成する画像形成手段をさらに備え、前記制御手段は、前記情報読み取り手段が読み取った識別情報が、前記保持手段に保持された識別情報と一致した場合、前記識別情報とともに記憶された前記送信処理に関する情報を前記画像形成手段により前記記録紙上に画像形成させるよう制御することを特徴とする請求項１乃至１０のいずれか１項に記載の通信装置。
【請求項１２】
前記書込手段は、前記メモリと非接触状態にて前記識別情報を書き込み可能であり、前記情報読み取り手段は、前記メモリと非接触状態にて前記識別情報を読み取り可能であることを特徴とする請求項１乃至１１のいずれか１項に記載の通信装置。
【請求項１３】
原稿上の画像を画像データとして読み取る画像読み取りステップと、
前記画像読み取りステップにて読み取った前記画像データを送信する送信ステップと、
前記原稿に付加されたメモリに、前記送信ステップにて送信すべき画像データを識別するための識別情報を書き込む書込ステップと、
前記識別情報を前記画像データの送信処理に関する情報とともに保持する保持ステップと、
前記メモリに書き込まれた識別情報を読み取る情報読み取りステップと、
前記情報読み取りステップにて読み取った識別情報が、前記保持ステップにて保持された識別情報と一致した場合、前記識別情報とともに記憶された前記送信処理に関する情報を報知するよう制御する制御ステップと、
を有することを特徴とする通信装置の制御方法。
【手続補正３】
【補正対象書類名】明細書
【補正対象項目名】０００１
【補正方法】変更
【補正の内容】
【０００１】
本発明は、通信装置、その制御方法に関し、特に、原稿画像データの送信結果を確認する技術に関する。
【手続補正４】
【補正対象書類名】明細書
【補正対象項目名】０００５
【補正方法】変更
【補正の内容】
【０００５】
そこで、本発明は、送信結果を簡単、かつ確実に確認できる通信装置、その制御方法を提供することを目的とする。
【手続補正５】
【補正対象書類名】明細書
【補正対象項目名】０００６
【補正方法】変更
【補正の内容】
【０００６】
上記目的を達成するため、本発明に係る通信装置は、原稿上の画像を画像データとして読み取る画像読み取り手段と、前記画像読み取り手段が読み取った画像データを送信する送信手段と、前記原稿に付加されたメモリに、前記送信手段が送信すべき画像データを識別するための識別情報を書き込む書込手段と、前記識別情報を前記画像データの送信処理に関する情報とともに保持する保持手段と、前記メモリに書き込まれた識別情報を読み取る情報読み取り手段と、前記情報読み取り手段が読み取った識別情報が、前記保持手段に保持された識別情報と一致した場合、前記識別情報とともに記憶された前記送信処理に関する情報を報知するよう制御する制御手段とを有することを特徴とする。
【手続補正６】
【補正対象書類名】明細書
【補正対象項目名】０００７
【補正方法】変更
【補正の内容】
【０００７】
本発明によれば、送信結果を簡単、かつ確実に確認できる通信装置、その制御方法を提供することが可能となる。